(57)【要約】      （修正有）【課題】十分な出力をもった電池を、外形を崩さず、内部の射撃機構も完全に駆動させ得るように組み込んだ小型電気銃を提供する。【解決手段】大型電動銃と同じ電池を、小型電動銃に組みこむためには、同型の電池を同じかそれ以上の数を駆動関連機器を配列した後の把手の空間に嵌め込む事である。組み上げて最小の体積になる形状として、幾つかの組み方で作った電池ブロックを組み合わせた。大型電動銃と同型の電池で同じ数なら余裕をもって、必要なら後１個を増設出来る。【選択図】図１
2009002636.tif 000002
【特許請求の範囲】
【請求項１】
電池によって回転するモーターで、歯車機構を駆動してスプリングを圧縮し、その反発力により、内筒と外筒にポンプ作用を行わせ、その空気噴出口から空気を噴出してプラスチック弾を発射する玩具銃において、電池を収納するための電池格納庫を銃把部分の空間を利用して設定し、玩具銃の銃把部分に施され、且所定の玩具銃のタイプを実銃と似せて形成するために架設された装飾や化粧板等を、本体と連続して外形を作る為の表面と見なし、それらの装飾や化粧部分と共に、玩具銃本体の外形を、一連の同一の薄皮層で連続して形成させ、外観は殆ど同一なものとして薄皮層に囲まれた内部空間をより広い部分として利用出来るように造り上げ、これによって銃把部分の電池の収容能力を増大した玩具銃の電池格納庫において、任意の必要な個数の電池を、定型的にブロック化し、しかし必ずどのような形で配列されても、最初の電池の入力のプラスから最後の出力のマイナスまでる出力（Ｖ）を要求される電気的仕様に応じて直列、並列の別を誤り無く配列させて出力させるように形成させ、電池をブロック化する為に電池を接続するには、まず直立する電池の組み合わせの場合は、電池は直立して、そのプラス面とマイナス面を交互に電池軸の表面と裏面に表し、このプラス面とマイナス面を交互に、仕様の要求に従って、プラス、マイナスを考えながらバネ薄板を点付して行き、電池の軸が直交する場合の組み合わせは、複数の電池の軸が、平面に平行して直交する場合と、平面に垂直な面で交差する場合とがあり、それぞれ必要な場合に応じて使用され、時には、直立する電池の組み合わせと併用して必要な組み合わせの電池ブロックを構成する事があり、複数の電池の軸が、平面に平行して直交する場合、電池のプラス面とマイナス面が  相対して平面上て直角になる位置にあり、バネ薄板を直角に折り曲げて両極面上にスポット付をすればよく、又電池の軸が垂直になる場合も、同じようを直角に曲げて、電池の極面を垂立体的に直な状態に保ちながら、スポット付けをすればバネ薄板により、両電池はピチットした状態で接続されるようになり、これらのスポット付けにより、直立電池の場合も併用して、必要とする理想的な電池ブロックを構成する事が可能となり、この電池ブロックを巧みに構成することにより、更に使用出来る電池の個数を増やすことも可能となることがあり、電池を増加しなくとも、大形電動銃と同じ出力になる必要な個数の格納を余裕をもって可能なものとし電動玩具銃の電池格納庫。
【請求項２】
これらの電池ブロックを、電池ブロックを収納して、電池の一層の緊密なブロック化を助長するように作られた、弾力性のあるプラスチック板で、ぴったりの寸法に出来上がっている掩蓋板に、押し込めるようにして、嵌入させ、更に掩蓋板が複数個必要なときは、中間板を、中間の仕切りとして、必要な箇所に設置し、それに設けた架設突起と掩蓋板の挿入講とを嵌合させ、、更に確実に緊定された状態の電池ブロックを作り、最後に、銃把の底の一端に枢設された、銃銃把底面枢止軸を中心として回転するように銃把を設定し、他端には、銃把の一部と相関して作用する銃把底面拘止片を設けて、底部を閉じると、銃把底面の端部が銃把底面拘止片に作用して、銃把底部の中央部に設定した底部バネの反発力により、相互に緊定されろようになり、銃把底面を開く時は銃把底面拘止片の付近の銃把底面の１部を押すと銃把が開くようになっている請求項１に記載した電動玩具銃の電池格納庫
【発明の詳細な説明】
【技術分野】
【０００１】    本発明は電池をブロック化して、最小体積を取らせ、電池を小型電動銃の銃把に装填出来るようにして、しかも大型電動銃と同じ出力を発揮出来るようにした小型電動銃の電池格納庫に関するものである。
【背景技術】
【０００２】  従来の電池は、大型電動銃のみに使用され、小型電動銃にはフロンガスが使用され、電池は大きすぎるということで使用されていなかった。ところがフロンガスが地球温暖化の悪玉と指弾され、小型電動銃が急に注目され始め、その種の商品なども市場にも出たのであるが、大型電動銃の出力からは程遠く、小さな電池と小さなモーターしか使用出来ず、ヒョ大型電動銃のみに使用され、小型電動銃にはフロンガスが使用され、電池は大きすぎるということで使用されていなかった。ところがフロンガスが地球温暖化の悪玉と指弾され、小型電動銃が急に注目され始め、その種の商品なども市場にも出たのであるが、大型電動銃の出力からは程遠く、小さな電池と小さなモーターしか使用出来ず、ヒョロヒョロ弾しか飛ばせず、惨めな結果となっており、玩具銃愛好家を満足させることが出来ずにおり、前願としては私が平成１９年３月６日、特願２００２−１３９２４８で出願しているのが、一番近い出願であるが、本願は審査請求が遅れ却下されたのであるが、本発明はそのうえに立って、先願にあった電池ブロックを支える電池枠は、場所を取り過ぎて邪魔になり、先願の電池ブロック化の要素となった角電池は製造中止となって使用出来なくなり、大型電動銃と同じ電池を使わねばならぬ事となり、一時は小型電動銃の開発を諦めたのであるが、新に普通電池を使った課題と取り組み、大型電動電池と同じ出力を確保するのに、同じ電池を遣うために色々な新しいものを工夫して使って前願にない特徴を出しながら、何とかここまでたどり着いたものであり、今まで電動銃の製作者が、縦列に長く組まれた電動銃の電池を、まぐろを並べるように、大型電動銃の空所に放り込んで済ませて来た人達には、苦労して小型玩具銃の銃把に大型電動銃と同じ電池を格納する等は面倒なことと手も付けられなかったのだろう。
【発明の開示】
【発明が解決しようとする課題】
【０００３】小型電動銃をフロンガスの駆動から解放するには、小型電動銃を実現させる他には無いことは、声高くして言われて来たのだが、出力不足の電動銃で弾を打ったら、ひょろひょろ弾になることは分かっていながら、大型電動銃と同じ出力をもつ電池ブロックを、小型電動銃に組み込めない為であり、電池、モーター、歯車駆動装置、電気基板、どれもこれも場所を取る大きなものが詰まっている銃把の中をどのように空間をを作り出したら良いか、銃把の空間に設置する電池をどのような形にしたら良いか、単純な様で難しい問題である、
【問題を解決するための手段】
【０００４】銃把の限られた空間の中に、嵌め込む為に、モーター、歯車駆動装置、電気基板を銃把の空間の適宜な場所に、隙間無く、詰め込むくらいにして、電池ブロックの為の空間を最大な物となるようにして配置し、電池は電動銃を駆動するのに必要な個数だけ電池ブロックとして、最小の体積を取らせて構成するために、電池を直立させた状態で、プラス面とマイナス面とを電気的に直列接続となるように、バネ狭薄板交互にスポット付けをして固定するようにし、必要な任意の数だけ、ブロック化して最小の体積を取らせるようにして、更に、銃把の空所の状況や電池の形によっては、電池のブロック化のために直立した電池ばかりでなくもっと違った電池の組み方が必要となり、二つの電池のプラス面とマイナス面が、直角に向き合う場合を考えると、これは両電池が同一平面上にある場合も、両電池の軸が垂直に交叉する場合も直角に折り曲げられたバネ薄板を、プラス、マイナスの電気的条件を確かめながら、向かい合っている、２つの電池のプラス面とマイナス面を接ぐようにして、もし２つの電池の両面に段差があれば必要な方の折り曲げ代を長くして、両面にバネ薄板を折り曲げ面で平らにぴったりとなるようにスポット付けして、２つの電池を接ぎ、これらの方法と直立する電池を接ぐ方法との兼用で銃把の空所に最小の体積をもつ電池ブロックを提供し大型電動銃と同じ出力を持つ小形電動銃の実現が可能となったのである。
【発明の効果】
【０００５】長い間、その実現が待ち望まれていた小型電動銃が、電池の使用条件にわ合わせたブロック化の発見、成功を果たした本発明により実現し、今まで大型電動銃と同じ電池が小型電動銃に使えず、大型電動銃の電池の殆ど半分に近い出力の電池とモーターで弾の重さを軽くしたり発射角度を４５度に近くしたりして、飛翔距離を長くして、力不足をカムフラージュしていたが、所詮胡麻化し切れず、ひょろひょろ弾が飛び出すばかりで、威力が全く無く、玩具銃愛好者を満足させる事が出来ず、本格的小型電動玩具銃の出現が待ち望まれていたものであり、直立して横列に並べて、接続するのに、電池のプラス面とマイナス面を交互にバネ薄板でスポット付けにより連結し、或は２つの電池の面が直角に、又は垂直に交叉する場合は直角に曲げたバネ薄板を両面にぴったりと平面で隙間無く接するようにして、スポット付けをしてて、所要の電池ブロックを作っているので、任意の形で、必要な場所に最小面積の電池ブロックを提供することが可能であり、これにより大型電動銃の大きな出力に対応出来る電池を使って、小型電動銃を駆動することが可能となり、しかもその電池ブロックでは大型電動銃と同じ出力の電池を、更に１個多く装填が可能であり、本発明の効果の威力は、縷々述べて来た多くの効果と共に、１個増加した電池によって生み出される甚大な効果を併せ考えてもり知れぬものがあり、更に脱フロンを叫んでいる世界の地球温暖化ストップ運動にも些か貢献するものであり、そのうえ、今年２月玩具銃の危険防止のため国会を通り、３、５ジュールー／ｃｍ２以上の出力のある銃は持ち歩いてもならないと言う厳しい通達が出され、特に大型電動銃は更に出力のある物に変造出来る危険があるので、十分に警戒が必要であると言う事になったのであるが、幸い本発明の電池格納庫を使う電動銃は小型電動銃なので、問題無いとのことであり、安堵すると共に、規制内で最大の出力という事にもなり、その規制がこの発明の価値を高めてくれるという思わぬ効果を齎してくれたたのである。
【発明を実施するための最良の形態】
【０００６】本発明電動銃の電池格納庫に付いて、実施例に従って    説明する。
図１に示すように、銃把の限られた空間の中に、嵌め込む為に、モーター、（１）歯車駆動装置（２）、電気回路基板（３）を銃把（４）の空間の適宜な場所に、隙間無く、詰め込むくらいにして、電池ブロックの為の空間を最大な物となるようにして配置し、発明を実施するための最良の形態の一つとして、電池は、最小の占有体積を得る、図１、図２、図３、に示すような、下部に４個或は５個と、上部に３個の２段に重ねて組み合わせた２組の電池ブロックであり、此の電池ブロックの組み方は、此れ外にも色々有るが、今の所実施例の電池ブロックの組み方が最小占有体積を得るのに最良の方法であるという事が幾つかの、試作の結果解ったので、実施例の説明を進める。下部電池ブロック（１４）は、電池を直立の状態に保ち、図２、図５にに示すように、交互にプラス、マイナスが現れている極面を、同じような設定になっている裏極面とを、直列配列を維持するように交互に組み合わせながら、バネ狭薄板（７）を引っ張るようにして、適当な張力を効かせながら、電気スポット付けして接続し、最初のプラス電池とその次の電池からは、図１、図２に示すように、プラス電源の出力として２本の赤リード線（９）（９”）によりそれぞれ、銃把（４）の底部に設定されているＡスイッチ（１０）の２つの変換接点（１１）（１１”）に接続されており、一方、上部に３個組み合わされた上部電池ブロック（５）は、上部電池ブロック（５）の平面と、電池軸とが平行になる様にして、Π形に配置し、縦軸１の電池（１６）はマイナス面から、モーター（１）歯車駆動装置（２）電気基板（３）と総てのこの電動銃のマイナス電源となるマイナスリード線（１５）を出し、プラス面は、Π形の横軸電池（６）のマイナス面（１８）とＬ形に曲げたバネ狭薄板（７）で、しっかりとバネを効かせるにして、電気スポット付けをし、Π形の横軸電池（６）のプラス面（２０）は同じようにして、Ｌ形のバネ狭薄板（７）で、縦軸２の電池のマイナス面と電気スポット付けをして、Π形の上部電池ブロック（５）を強化しながら組み立てを完了し、最後に直立電池４個の上部電池ブロック（５）とΠ形電池３個の下部電池ブロック（１４）から、或は５個の下部電池ブロック（５）と３個のΠ形電池ブロック（８）のどちらかからプラス電源が、Ａスイッチ７変換接点（１１）か、或はＡスイッチ８変換接点（１１”）かどちらか、スイッチがオンになっている方に接がり、Ａスイッチ７変換接点（１１）に接続されているときは、７個の電池ブロックから、Ａスイッチ８変換接点（１１”）に接続されているときは、８個の電池ブロックから出力が供給され、Ａスイッチ（１０）は中心のＡスイッチ固定接点（２３）で、Ｂスイッチ（２０）のやはり中心のＢスイッチ固定接点（２３”）に接続され、Ｂスイッチ（２０）はＢスイッチ駆動変換接点（１２）とＢスイッチ充電変換接点（１２”）にはそれぞれ駆動用電源と充電用電源が設定してあり、ＡスイッチをＡスイッチ７変換接点（１１）に接げば、７個の電池ブロックにより、電圧が供給され、Ａスイッチ８変換接点（１１”）に接続すれば、８個の電池ブロックから出力が送られ、１段高い発射能力が得られ、つまみ一つで電圧を変えて玩具銃の楽しみを倍加することも可能であり、Ｂスイッチ変換接点（２４”）は、Ａスイッチの電池が無くなった時だけ、この端子に充電器の端子を差し込めば、そのまま充電が出来るようになっていると言う誠に便利で、誰もが喜んでくれるような色々な趣向を凝らして使う人の満足を得る様に工夫しており、更に３個と４個あるいは３個と５個の上下電池ブロック（５）、（１４）は、それぞれ、軟質で弾力性のある薄手（０、５ｔ）の、ビニール板等で作られている  上下掩蓋板（２４）（２５）に嵌入いる３組の上部架設突起（２０）を突起挿入溝（２４）に挿入して拘止し、次に下部電池ブロック（１４）の下方から、これに冠せるようにして、下掩葢板（２６”）を押し込んで嵌入し、最後に下掩蓋板（２７）の２個の下部架設突起（２７”）を中間板（２２）の突起挿入溝（２８）に挿入して、拘止し下掩蓋板（２５）に設定されたバネ嵌入穿窩（２１）把手底面を閉じた時に、銃把底面押圧バネ（３２）を受けて、把手底面（１３）の他端に設定された銃把底面拘子片（３３）の拘子によって発生する底面押圧バネ（３２）の圧力により上下電池ブロック（５）、（１４）を緊定させ、上下掩蓋板には、プラス電源をＡスイッチ（１０）に接ぐためのプラスリード線を通過させるプラスリード線逃げ穴（３４）と、上下電池ブロック（５）（１４）を、直列接続を維持するために接ぐバネ狭薄板（７）と、電気回路基板（３）にマイナス電源を接ぐマイナスリード線を通過させるマイナスリード線逃げ穴（３５）を設け、更に、この上下掩蓋板は、隙間なく、弾力を効かせる位にして上下電池ブロック（５）、（１４）をもうけ緊迫して、そのブロック化の緩みを押さえ、そのうえ、ブロック化で剥き出しになっているバネ狭薄板（７）を外の電気回路から遮断するようになっていて、更に絶縁に付いては、電池プラス面絶縁紙（１９）が、凡ての電池プラス面に付帯されている。
かくして、本発明電動銃の電池格納庫は、種々の新しい発想を駆使して、新規の企画を随所に示し、特に主要ポイントである大型電動銃と同じ出力の電池の格納を可能にすることについては、同程度の出力であれば余裕をもって装填を可能とし、その範囲を越えて、同じ電池をもう１個増加して装填することも可能となり、その効果の大きさは、計り知れない、大きなものがある。
【図面の簡単な説明】
【０００７】
【図１】は、電池ブロックを電動銃の銃把の中に、他の機器と共に装填したときの１部破断側面図である。
【図２】は、銃把の中に配置された時の電池ボックスの側面図である
【図３】は。同じくその平面図であり、Ａスイッチ、Ｂスイッチの銃把本体から取り外され状態で、その作用を解り易く示す概念図である。
【図４】は、同じくその正面図である。
【図５】は、直立して電極面を交互に上下にして並ぶ電池ブロックを構成するときの電池ブロックを直列にして、スポット付けする方法を示す部分拡大側面図である
【図６】は、同じく垂直に交差する２つの電池を直列に組み上げるためのスポットの方法を示す部分拡大側面図である。
【図７】は、上掩蓋板の透視図である。
【図８】は、下掩蓋板の透視図である。
【図９】は、掩蓋板を接ぐ中間板の透視図であり、図７から図９までの図面の中で３本の鎖線は、その線上の架設突起と突起挿入講との相関関係を示している。
【符号の説明】
【０００８】  １ーーーモーター                  １８ーーー横軸電池のプラス面
２ーーー歯車駆動装置              １９ーーー電池プラス面絶縁紙
３ーーー電子回路基板              ２０ーーーＢスイッチ
４ーーー銃把                      ２１ーーーバネ嵌入穿窩
５ーーー上電池ブロック            ２２ーーー中間板
６ーーー横軸電池                  ２３ーーーＡスイッチ固定接点
７ーーーバネ狭薄板                ２４ーーー上掩蓋板
８ーーー上下電池ブロック接続板    ２５ーーー下掩蓋板
９ーーープラスリード線            ２６ーーー上部架設突起
１０ーーーＡスイッチ                ２７ーーー下部架設突起
１１ーーーＡスイッチ７変換接点      ２８ーーー突起挿入講
１２ーーーＡスイッチ８変換接点      ２９ーーープラス面
１３ーーーＢスイッチ駆動変換接点    ３０ーーーマイナス面
１４ーーーＢスイッチ充電変換接点    ３１ーーー銃把底面枢止軸
１５ーーーマイナスリード線          ３２ーーー銃把底面バネ
１６ーーー縦軸１の電池              ３３ーーー銃把底面拘子片
１７ーーーＬ形に曲げた狭薄板        ３４ーーープラスリード線逃げ穴
１８ーーー横軸電池のプラス面        ３５ーーーマイナスリード線逃げ穴
１９ーーー横軸電池のマイナス面
【図１】
2009002636.tif 000003
【図２】
2009002636.tif 000004
【図３】
2009002636.tif 000005
【図４】
2009002636.tif 000006
【図５】
2009002636.tif 000007
【図６】
2009002636.tif 000008
【図７】
2009002636.tif 000009
【図８】
2009002636.tif 000010
【図９】
2009002636.tif 000011